(57)【要約】【課題】  撮影レンズの被写体側端面のレンズ以外の端面部分で発生する迷光を防止することが出来るアダプタを提供すること。【解決手段】  撮影レンズ２の被写体側前方に補助レンズ５を接続するためのアダプタ３において、前記アダプタ３は、前記撮影レンズ２と前記補助レンズ５との間に、前記撮影レンズ２の被写体側端面のレンズ２ａ以外の端面部分２ｂを覆う突起部６を有するアダプタ３。【選択図】  図１
2005156978.tif 000002
【特許請求の範囲】
【請求項１】
撮影レンズの被写体側前方に補助レンズを接続するためのアダプタにおいて、
前記アダプタは、前記撮影レンズと前記補助レンズとの間に、前記撮影レンズの被写体側端面のレンズ以外の端面部分を覆う突起部を有することを特徴とするアダプタ。
【請求項２】
前記突起部は、前記アダプタに一体的に形成されていることを特徴とする請求項１に記載のアダプタ。
【請求項３】
前記突起部は、前記アダプタと別体に形成されていることを特徴とする請求項１にアダプタ。
【請求項４】
前記突起部は、虹彩絞りからなることを特徴とする請求項１または２または３に記載のアダプタ。
【請求項５】
前記虹彩絞りは、前記撮影レンズと連動レバーで接続され、
前記撮影レンズの移動に応じて前記虹彩絞りの開口が変化することを特徴とする請求項４に記載のアダプタ。
【請求項６】
前記端面部分と前記突起部との間に伸縮部材が設けられ、
前記伸縮部材は、前記撮影レンズの移動に応じて伸縮し、前記伸縮部材の一端部が前記端面部分を覆うことを特徴とする請求項１から５のいずれか１項に記載のアダプタ。
【請求項７】
前記伸縮部材は、蛇腹状部材からなることを特徴とする請求項６に記載のアダプタ。
【請求項８】
撮影レンズの被写体側前方に補助レンズを接続するためのアダプタにおいて、
前記撮影レンズの被写体側端面のレンズ以外の端面部分を覆う遮光部材が前記アダプタの内周部に摺動可能に嵌合され、
前記遮光部材は、前記撮影レンズの移動に応じて移動することを特徴とするアダプタ。
【請求項９】
前記遮光部材は、前記端面部分に弾性部材によって押圧されていることを特徴とする請求項８に記載のアダプタ。
【発明の詳細な説明】
【技術分野】
【０００１】
本発明は、カメラの撮影レンズの被写体側に補助レンズを接続する時に用いるアダプタに関する。
【背景技術】
【０００２】
従来、レンズシャッタ式カメラ（特にデジタルスチルカメラ）では、一般的に撮影レンズの鏡筒がカメラの筐体に一体化されて取り外せないように構成されている。このため望遠や広角などカメラに搭載されている撮影レンズの能力を超えた撮影をするために別途各種の補助レンズ（コンバータレンズとも言う）が準備され、これら補助レンズを撮影レンズの被写体側に取り付けるためのアダプタ（アダプタリングとも言う）が用意されている。このアダプタは、一般的にカメラと補助レンズを接続する接続手段を有する円筒形状の部材で構成されている（例えば、特許文献１参照。）。
【特許文献１】特開２０００−１６２６９３号公報
【発明の開示】
【発明が解決しようとする課題】
【０００３】
しかしながら、従来のアダプタは単なる円筒形状の部材で形成されているため、撮影レンズの被写体側に接続された補助レンズを透過した光が、撮影レンズの被写体側端面のレンズ以外の端面部分で反射され補助レンズ側に戻り補助レンズのレンズ面で反射されて再び撮影レンズに戻り迷光となる虞がある。
【０００４】
本発明は、上記課題に鑑みてなされたものであり、撮影レンズの被写体側端面のレンズ以外の端面部分で発生する迷光を防止することが出来るアダプタを提供することを目的としている。
【課題を解決するための手段】
【０００５】
上記目的を達成するために、本発明は、撮影レンズの被写体側前方に補助レンズを接続するためのアダプタにおいて、前記アダプタは、前記撮影レンズと前記補助レンズとの間に、前記撮影レンズの被写体側端面のレンズ以外の端面部分を覆う突起部を有することを特徴とするアダプタを提供する。
【０００６】
また、本発明のアダプタでは、前記突起部は、前記アダプタに一体的に形成されていることが好ましい。
【０００７】
また、本発明のアダプタでは、前記突起部は、前記アダプタと別体に形成されていることが好ましい。
【０００８】
また、本発明のアダプタでは、前記突起部は、虹彩絞りからなることが好ましい。
【０００９】
また、本発明のアダプタでは、前記虹彩絞りは、前記撮影レンズと連動レバーで接続され、前記撮影レンズの移動に応じて前記虹彩絞りの開口が変化することが好ましい。
【００１０】
また、本発明のアダプタでは、前記端面部分と前記突起部との間に伸縮部材が設けられ、前記伸縮部材は、前記撮影レンズの移動に応じて伸縮し、前記伸縮部材の一端部が前記端面部分を覆うことが好ましい。
【００１１】
また、本発明のアダプタでは、前記伸縮部材は、蛇腹状部材からなることが好ましい。
【００１２】
また、本発明は撮影レンズの被写体側前方に補助レンズを接続するためのアダプタにおいて、前記撮影レンズの被写体側端面のレンズ以外の端面部分を覆う遮光部材が前記アダプタの内周部に摺動可能に嵌合され、前記遮光部材は、前記撮影レンズの移動に応じて移動することを特徴とするアダプタを提供する。
【００１３】
また、本発明のアダプタでは、前記遮光部材は、前記端面部分に弾性部材によって押圧されていることが好ましい。
【発明の効果】
【００１４】
本発明は、撮影レンズの被写体側端面のレンズ以外の端面部分で発生する迷光を防止することが出来るアダプタを提供することが出来る。
【発明を実施するための最良の形態】
【００１５】
以下、本発明の実施の形態に関し図面を参照しつつ説明する。
【００１６】
図１は、本発明の第１実施の形態にかかるアダプタを装着したカメラの概略構成部分断面図を示す。図２は、カメラの撮影レンズを正面から見た模式図を示す。図３は、本発明の第２実施の形態にかかるアダプタを装着したカメラの概略構成部分断面図を示す。図４は、本発明の第３実施の形態にかかるアダプタを装着したカメラの概略構成部分断面図を示す。図５は、本発明の第４実施の形態にかかるアダプタを装着したカメラの概略構成部分断面図を示す。図６は、本発明の第５実施の形態にかかるアダプタを装着したカメラの概略構成部分断面図を示す。
【００１７】
（第１実施の形態）
以下、本発明の第１実施の形態にかかるアダプタに付いて図面を参照しつつ説明する。図１は、本発明の第１実施の形態にかかるアダプタを装着したカメラの概略構成部分断面図を示し、図２は、カメラの撮影レンズを正面から見た模式図を示す。
【００１８】
図１において、カメラの筐体１には、繰り出し繰り込み可能な撮影レンズ２が一体的に組み付けられ、撮影レンズ２は、撮影者の指示（不図示のボタン操作）により広角端状態から望遠端状態に亘り撮影レンズ２が繰り出したり繰り込まれたりするように移動し、撮影が終了した際には、撮影レンズ２が筐体１に沈胴して収納されるように構成されている。
【００１９】
筐体１の撮影レンズ２の外周部分には、補助レンズ５を撮影レンズ２の被写体側に配置するために用いられる円筒形状のアダプタ３を筐体１に支持するアダプタ支持部４が配設されている。アダプタ支持部４の内周部には、アダプタ３の外周部に設けられたねじ部３ａと螺合するねじ部４ａが形成されている。アダプタ支持部４のねじ部４ａにアダプタ３のねじ部３ａを螺合することにより筐体１にアダプタ３がねじ止めされ、補助レンズ５が撮影レンズ２の被写体側に支持される。
【００２０】
また、アダプタ３の補助レンズ５側には、アダプタ３の内周部に補助レンズ５のねじ部５ａと螺合するねじ部３ｂが形成されており、補助レンズ５のねじ部５ａをアダプタ３のねじ部３ｂに螺合することによって補助レンズ５を撮影レンズ２の被写体側に支持している。なお、筐体１にアダプタ３を固定する方法は、ねじによる螺合以外の方法を使用することも可能である。
【００２１】
図２に示すように、撮影レンズ２の被写体側端面にはレンズ２ａとレンズ２ａを保持する鏡筒の一部である端面部２ｂがある。端面部２ｂの表面には、撮影レンズ２のレンズ名２ｃや撮影レンズ２の焦点距離２ｄ等を示す文字が白色等で印刷されている。撮影レンズ２に入射する被写体からの反射光のうち、この文字のある端面部２ｂで反射される光は、撮影レンズ２の被写体側が開放状態では問題とならないが、補助レンズ５などの光学部材が撮影レンズ２の前方に装着された際には、端面部２ｂからの反射光が補助レンズ５のレンズ面５ｂ（図１参照）等で反射されて撮影レンズ２に戻り迷光となる虞がある。
【００２２】
図１に示すように、補助レンズ５と撮影レンズ２との間のアダプタ３の内周部に、撮影レンズ２の補助レンズ５側の端面部２ｂを覆う突起部６が形成されている。このようにして、本第１実施の形態にかかるアダプタ３が形成されている。
【００２３】
本第１実施の形態にかかるアダプタは、補助レンズ５と撮影レンズ２との間のアダプタ３の内周部に遮光のための突起部６を設けることよって、補助レンズ５から撮影レンズ２に入射する光の内、撮影レンズ２の端面部２ｂに入射する光を散乱または吸収してカットすると共に、補助レンズ５から入射した光が端面部２ｂで反射され補助レンズ５のレンズ面５ｂに入射しようとする光も散乱または吸収してカットする役割を有し、撮影レンズ２の端面部２ｂで反射されて撮影レンズ２に戻り、迷光となる光をカットすることが可能となる。
【００２４】
また、突起部６の開口部の直径は、撮影レンズ２が広角端状態にある場合（撮影レンズ２の端面部２ｂが最も筐体側に位置する）に補助レンズ５からの光束がケラレナイ直径に形成してある。本実施の形態にかかるカメラでは広角端状態から望遠端状態への撮影レンズ２の端面部２ｂの移動距離は数ｍｍ程度（３〜５ｍｍ）であり、このように突起部６を形成することで、撮影レンズ２が望遠端状態になっても補助レンズ５からの光束がケラレルことはない。これにより、撮影レンズ２の端面部２ｂにおける入射光や反射光をカットすることが出来、撮影レンズ２に入射する迷光をカットすることが出来る。
【００２５】
また、アダプタ３の内周及び突起部６の表面は、つや消し塗装やブラックアルマイト加工等の光の散乱または吸収のための加工が施されている。
【００２６】
（第２実施の形態）
次に、本発明の第２実施の形態にかかるアダプタについて図面を参照しつつ説明する。第２実施の形態と第１実施の形態との相違は、突起部を有するアダプタが筐体に接続されるアダプタとは別体に形成されている点にある。第１実施の形態と同様の構成には同じ符号を付し説明を省略する。
【００２７】
図３は、本発明の第２実施の形態にかかるアダプタを装着したカメラの概略構成部分断面図を示す。
【００２８】
図３において、カメラの筐体１のアダプタ支持部４のねじ部４ａに、公知の円筒形状の第１のアダプタ１３がねじ部１３ａにより螺合され支持されている。第１のアダプタ１３の被写体側端部には補助レンズ５を支持するためのねじ部１３ｂが形成されている。
【００２９】
補助レンズ５と第１のアダプタ１３との間に、内周部に第１実施の形態と同様の突起部６を有する第２のアダプタ２３が配設されている。第２のアダプタ２３の第１のアダプタ１３側の外周部には、第１のアダプタ１３のねじ部１３ｂと螺合して第２のアダプタ２３を第１のアダプタ１３に支持するねじ部２３ａが形成されている。
【００３０】
また、第２のアダプタ２３の補助レンズ５側の内周部には補助レンズ５のねじ部５ａと螺合し補助レンズ５を支持するねじ部２３ｂが形成されている。
【００３１】
補助レンズ５と撮影レンズ２との間に、第２のアダプタ２３を第１のアダプタ１３を介して筐体１に接続して補助レンズ５を撮影レンズ２の前方に支持する。このようにして、本第２実施の形態にかかる（第２の）アダプタ２３が形成されている。
【００３２】
本第２実施の形態にかかる（第２の）アダプタ２３は、第１のアダプタ１３の被写体側に接続された際、撮影レンズ２の被写体側端面部２ｂを覆う突起部６が設けられている。突起部６の構成、作用、効果は第１実施の形態と同様であり説明を省略する。
【００３３】
なお、（第２の）アダプタ２３は、ステップアップリングであっても良い。一般に補助レンズ５のねじ部５ａの直径が第１のアダプタ１３のねじ部１３ｂの直径より大きかったり小さかったりする場合、径を変換するためのステップアップリングが使用される。このステップアップリングの撮影レンズ２側に突起部６を設け第１のアダプタに螺合することで同様の作用、効果を奏することが出来る。
【００３４】
（第３実施の形態）
次に、本発明の第３実施の形態にかかるアダプタについて図面を参照しつつ説明する。第３実施の形態と第１実施の形態との相違は、突起部と撮影レンズの端面部との間に伸縮部材を配置し、ズーム動作によって撮影レンズが移動する際に、突起部と撮影レンズとの間の隙間を遮蔽した点にある。第１実施の形態と同様の構成には同じ符号を付し説明を省略する。
【００３５】
図４は、本発明の第３実施の形態にかかるアダプタを装着したカメラの概略構成部分断面図を示す。
【００３６】
図４において、アダプタ３の内周部の撮影レンズ２と補助レンズ５との間に設けられた突起部６の撮影レンズ２側の面に、伸縮部材７の一方の端面部７ｂが接着剤等で固定されている。伸縮部材７は、例えば蛇腹状の部材であって、他方の端部７ａは、撮影レンズ２の被写体側の端面部２ｂ（図２参照）に押圧されて端面部２ｂを覆い、撮影レンズ２のズーム動作による移動に伴い伸縮して常に端面部２ｂを覆うように構成されている。
【００３７】
本第３実施の形態では、アダプタ３の突起部６と撮影レンズ２の端面部２ｂとの間に伸縮部材７を配置し、撮影レンズ２の移動にかかわらず伸縮部材７の端部７ａで端面部２ｂを常に覆っているため、補助レンズ５を通過した光が、端面部２ｂに入射、反射されて補助レンズ５のレンズ面５ｂで反射され撮影レンズ２に戻り迷光となることを防止することが出来る。
【００３８】
なお、伸縮部材７は蛇腹状の部材以外の弾性部材等を使用しても良い。また、伸縮部材７の端面部の突起部６への固定方法は接着材に限定されずねじやピン等の他の方法であっても良い。また、撮影が終わって撮影レンズ２を筐体１に収納する際には、伸縮部材７の端面７ａは撮影レンズ２の端面部２ｂから離れるように構成されていても良い。伸縮部材７の伸縮量は、伸縮部材の特性によって設計すればよい。また、伸縮部材７はつや消し塗装等の反射防止加工が施され不要な迷光が生じないように構成されている。
【００３９】
また、本第３実施の形態にかかるアダプタにおいて、伸縮部材７を有する突起部６を、第２実施の形態と同様に別体の第２のアダプタとして形成し、公知の第１のアダプタに取り付けて使用する構成としても同様の効果を奏する。
【００４０】
（第４実施の形態）
次に、本発明の第４実施の形態にかかるアダプタについて図面を参照しつつ説明する。第４実施の形態と第１実施の形態との相違は、第１実施の形態の突起部を虹彩絞りに変更し、開口径を撮影レンズの移動に応じて可変できるようにしたことにある。第１実施の形態と同様の構成には同じ符号を付し説明を省略する。
【００４１】
図５は、本発明の第４実施の形態にかかるアダプタを装着したカメラの概略構成部分断面図を示す。
【００４２】
図５において、筐体１のアダプタ支持部４に螺合されたアダプタ３３の内周部の撮影レンズ２と補助レンズ５との間に、撮影レンズ２の端面部２ｂを覆う虹彩絞り３４が配置されている。虹彩絞り３４と撮影レンズ２の鏡筒の筒部３６の切り欠き部３６ａとは、連動レバー３５で接続されている。筒部３６は撮影レンズのズーム動作で回転し、この回転が連動レバー３５を介して虹彩絞り３４に伝達されて、虹彩絞り３４の開口径が変化する。虹彩絞り３４の開口径は、広角端状態で大きく望遠端状態で小さくなる。このようにして、第４実施の形態にかかるアダプタ３３が形成されている。
【００４３】
本第４実施の形態では、虹彩絞り３４の開口径が撮影レンズ２のズーム動作に応じて変化し、撮影レンズ２の端面部２ｂを覆い、補助レンズ５からの光が端面部２ｂに入射、反射して補助レンズ５のレンズ面５ｂで反射し撮影レンズ２に戻り迷光となることを防止することが出来る。
【００４４】
なお、本第４実施の形態においても、虹彩絞り３４の端面部３４ａと撮影レンズ２の端面部２ｂとの間に、第３実施の形態と同様の伸縮部材を設け端面部２ｂを常に覆うように構成することも可能である。
【００４５】
また、虹彩絞り３４を、第２実施の形態と同様の別体の第２のアダプタとして形成し、公知の第１のアダプタに接続して用いても同様の効果を奏することが出来る。
【００４６】
（第５実施の形態）
次に、本発明の第５実施の形態にかかるアダプタについて図面を参照しつつ説明する。第５実施の形態と第３実施の形態との相違は、第３実施の形態の伸縮部材に変わり撮影レンズの端面部を覆う突起部を有する遮光部材が撮影レンズの移動に応じてアダプタの内周部を摺動可能に配置されていることにある。第３実施の形態と同様の構成には同じ符号を付し説明を省略する。
【００４７】
図６は、本発明の第５実施の形態にかかるアダプタを装着したカメラの概略構成部分断面図を示す。
【００４８】
図６において、筐体１のアダプタ支持部４に螺合されたアダプタ４３の内周部に撮影レンズ２の端面部２ｂを覆う突起部４４ａを有する円筒状の遮光部材４４が、アダプタ４３の内周部に摺動可能に配置されている。また、アダプタ４３の補助レンズ５側の端面近傍には止め部４６が設けられている。遮光部材４４を撮影レンズ２側に押圧するバネ部材４５が止め部４６と遮光部材４４との間に設けられ、撮影レンズ２のズーム動作に応じて遮光部材４４の突起部４４ａを端面部２ｂに常に押圧するように構成されている。なお、遮光部材４４全体は、つや消し塗装等の反射防止加工が施されていることは言うまでもない。
【００４９】
本第５実施の形態では、端面部２ｂを覆う遮光部材４４をバネ部材４５で常に撮影レンズ２の端面部２ｂに押し付け覆っているので、補助レンズ５からの光が端面部２ｂで反射し補助レンズ５のレンズ面５ｂで反射して撮影レンズ２に入射して迷光となるのを防止することが出来る。
【００５０】
なお、バネ部材４５は、ゴム等の弾性部材を用いても同様の効果を奏することが可能である。
【００５１】
なお、上記実施の形態における突起部は、撮影レンズの端面部を覆うようなリング状に形成されていても良いし、端面部の一部の高反射率部分（例えば、白文字部分）のみを覆う円弧状に形成されていても良い。
【００５２】
なお、上述の実施の形態は例に過ぎず、上述の構成や形状に限定されるものではなく、本発明の範囲内において適宜修正、変更が可能である。
【図面の簡単な説明】
【００５３】
【図１】本発明の第１実施の形態にかかるアダプタを装着したカメラの概略構成部分断面図を示す。
【図２】カメラの撮影レンズを正面から見た模式図を示す。
【図３】本発明の第２実施の形態にかかるアダプタを装着したカメラの概略構成部分断面図を示す。
【図４】本発明の第３実施の形態にかかるアダプタを装着したカメラの概略構成部分断面図を示す。
【図５】本発明の第４実施の形態にかかるアダプタを装着したカメラの概略構成部分断面図を示す。
【図６】本発明の第５実施の形態にかかるアダプタを装着したカメラの概略構成部分断面図を示す。
【符号の説明】
【００５４】
１      筐体
２      撮影レンズ
３      アダプタ
４      アダプタ支持部
５      補助レンズ
６      突起部
７      伸縮部材
１３    第１のアダプタ
２３    第２のアダプタ
３３    アダプタ
３４    虹彩絞り
３５    連動レバー
３６    鏡筒の筒部
４３    アダプタ
４４    遮光部材
４５    バネ部材
４６    止め部
【図１】
2005156978.tif 000003
【図２】
2005156978.tif 000004
【図３】
2005156978.tif 000005
【図４】
2005156978.tif 000006
【図５】
2005156978.tif 000007
【図６】
2005156978.tif 000008